(57)【要約】【課題】  特に手をかさなくても水に漬けておけば所定時間経過後に磁石のもつ力だけで飛び跳ねる動きをする磁力起動玩具を提供する。【解決手段】  磁石からなる二個のマグネット体２,３が水溶性部材４又は吸湿性部材５を介在させてＮ極同士又はＳ極同士が対向するようにして接合一体化し、且つ一方のマグネット体２を玩具本体１の下部１１に固着し、該マグネット体２の下側に他方のマグネット体３を配して玩具本体１が起立するよう形成してなる。【選択図】  図２
2006167248.tif 000002
【特許請求の範囲】
【請求項１】
磁石からなる二個のマグネット体が水溶性部材又は吸湿性部材を介在させてＮ極同士又はＳ極同士が対向するようにして接合一体化し、且つ一方のマグネット体を玩具本体の下部に固着し、該マグネット体の下側に他方のマグネット体を配して玩具本体が起立するよう形成してなることを特徴とする磁力起動玩具。
【請求項２】
磁化された玩具本体の下部に、磁石からなるマグネット体が水溶性部材又は吸湿性部材を介在させてＮ極同士又はＳ極同士が対向するようにして接合一体化し、且つ該マグネット体を下にして玩具本体が起立するよう形成してなることを特徴とする磁力起動玩具。
【発明の詳細な説明】
【技術分野】
【０００１】
本発明は永久磁石を用いた磁力起動玩具に関する。
【背景技術】
【０００２】
永久磁石は吸引又は反発作用を有し、従来、これを利用した玩具の発明技術がいくつか提案されている(例えば特許文献１,２参照)。
【０００３】
【特許文献１】特開平１１−１１４２３６号公報（以下、「従来技術１」という。）
【特許文献２】特開２００２−１２６３７４号公報（以下、「従来技術１」という。）
【０００４】
従来技術１は丸棒に磁石の付いた宇宙船模型をひもでつないだ２機の宇宙船を水平に回転させ、磁石につけさせてドッキングすることのできる遊び道具である。従来技術２は果物等を模した具象体を２以上に分割して形成し、分割面で一体化し得るように分割面に磁石を設け、この分割面に玩具の包丁等を差し入れて具象体を分割する玩具の前記分割面に具象体の名称又はその説明を設けた知育玩具である。
【発明の開示】
【発明が解決しようとする課題】
【０００５】
しかるに、従来技術１,２共に磁石の吸引作用を利用した玩具で、さらに少なくとも最初は人の手等を借りて外力を加えなければ磁石の吸引作用をも促し得ないものであった。磁石のもつ力だけで動き出す玩具はこれまで存在しなかった。
【０００６】
本発明は上記問題点を解決するもので、特に手をかさなくても水に漬けておけば所定時間経過後に磁石のもつ力だけで飛び跳ねる動きをする玩具を提供することを目的とする。
【課題を解決するための手段】
【０００７】
上記目的を達成すべく、請求項１に記載の発明の要旨は、磁石からなる二個のマグネット体が水溶性部材又は吸湿性部材を介在させてＮ極同士又はＳ極同士が対向するようにして接合一体化し、且つ一方のマグネット体を玩具本体の下部に固着し、該マグネット体の下側に他方のマグネット体を配して玩具本体が起立するよう形成してなることを特徴とする磁力起動玩具にある。
請求項２に記載の発明の要旨は、磁化された玩具本体の下部に、磁石からなるマグネット体が水溶性部材又は吸湿性部材を介在させてＮ極同士又はＳ極同士が対向するようにして接合一体化し、且つ該マグネット体を下にして玩具本体が起立するよう形成してなることを特徴とする磁力起動玩具にある。
請求項１の発明のごとく磁石からなる二個のマグネット体が水溶性部材又は吸湿性部材を介在させてＮ極同士又はＳ極同士が対向するようにして接合一体化し、且つ一方のマグネット体を玩具本体の下部に固着し、該マグネット体の下側に他方のマグネット体を配して玩具本体が起立するよう形成すると、前記水溶性部材又は吸湿性部材を水溶液に漬けて玩具本体を起立させることにより前記水溶性部材又は吸湿性部材の接合強度が弱まり、所定時間経過後に二個のマグネット体が分離し両マグネット体の磁力反発で玩具本体が飛び跳ねる磁力起動玩具となる。
請求項２の発明のごとく、磁化された玩具本体の下部に、磁石からなるマグネット体が水溶性部材又は吸湿性部材を介在させてＮ極同士又はＳ極同士が対向するようにして接合一体化し、且つ該マグネット体を下にして玩具本体が起立するよう形成すると、前記水溶性部材又は吸湿性部材を水溶液に漬けて玩具本体を起立させることにより前記水溶性部材又は吸湿性部材の接合強度が弱まり、所定時間経過後に玩具本体からマグネット体が分離し磁力反発で玩具本体が飛び跳ねる磁力起動玩具となる。
【発明の効果】
【０００８】
本発明の磁力起動玩具は、特に手をかさなくても水に漬けておけば磁石のもつ反発力だけで所定時間経過後に飛び跳ねる動きができ、しかも何時またいかなる動きをするか予測のつかない飛び跳ね動作は興味をそそり、遊び興ずる玩具として優れた効果を発揮する。
【発明を実施するための最良の形態】
【０００９】
以下、本発明に係る磁力起動玩具について詳述する。
（１）実施形態１
本実施形態は図１〜図４のごとくの磁力起動玩具で、図１は磁力起動玩具の一部断面正面図、図２は図１の磁力起動玩具の動作を表す説明斜視図、図３は図２の部分拡大図、図４はＮ極同士又はＳ極同士が対向するようにして接合一体化した２個のマグネット体の側面図である。
【００１０】
磁力起動玩具は玩具本体１の下部１１に、水溶性部材４又は吸湿性部材５を介在させて、Ｎ極同士又はＳ極同士が対向するようにして二個のマグネット体２をサンドイッチ状に接合一体化した玩具である。一方のマグネット体２を玩具本体１の下部１１に固着し、該マグネット体２の下側に他方のマグネット体３を配して玩具本体１が起立するよう形成する。そして、水溶性部材４又は吸湿性部材５を水溶液９に漬けて玩具本体１を起立させることにより前記水溶性部材４又は吸湿性部材５の接合強度が弱まり、所定時間経過後に二個のマグネット体２,３が分離し両マグネット体２,３の磁力反発で玩具本体１が飛び跳ねる玩具としている。ここで、水溶性部材４とはその一部又は全部に水溶性物質が含まれ、該水溶性部材４を水溶液９に漬けて玩具本体１を起立させることにより所定時間経過後に二個のマグネット体２,３が分離し両マグネット体２,３の磁力反発で玩具本体１が飛び跳ねれば充足するものとする。吸湿性部材５もその一部又は全部に吸湿性物質が含まれ、該吸湿性部材５を水溶液９に漬けて玩具本体１を起立させることにより所定時間経過後に二個のマグネット体２,３が分離し両マグネット体２,３の磁力反発で玩具本体１が飛び跳ねれば充足するものとする。
【００１１】
玩具本体１は図１のような怪獣の格好をしており、二本足の夫々の下部足裏になる下面１１ａに、前記二個のマグネット体２,３のうちの一つが入る凹所１１ｂを形成する。凹所１１ｂは二本足の夫々の下部下面１１ａに形成される。玩具本体１の形状は怪獣に限らず、例えば仮面ライダーやウルトラマン等の人気キャラクターや人物,動物などの形状とすることができる。
【００１２】
マグネット体２,３は磁石からなる円盤体で、本実施形態では二個のマグネット体２,３が同形である。マグネット体２の一つが前記凹所１１ｂに嵌合する大きさで、該マグネット体２に接着剤を塗布して該凹所１１ｂに嵌入することにより、玩具本体下部１１にマグネット体２が固着されて、玩具本体１の下面１１ａとマグネット体２の下面が面一となる(図３参照)。このマグネット体２に他方のマグネット体３が接合一体化して玩具本体１は図１のごとく起立するが、他方のマグネット体３が玩具本体１の下面１１ａから突出する。他方のマグネット体３のマグネット体２との対向面には玩具本体１が形づくる怪獣等のキャラクターの発する「ギャー」や「グェー」等の擬声語が表記されている。
【００１３】
マグネット体２,３の外観形状は円柱形の一種たる円盤形とするが、円筒形,円板形にでき、また馬蹄形等にすることができる。二個のマグネット体２,３は同形でなくてもよい。例えば二個のマグネット体２,３のうち一方を円柱形等の立体形状品とし、他方をシート状体とすることができる。マグネット体２,３を構成する磁石は固体磁石でここではフェライト磁石とするが、その磁石の種類として希土類磁石,希土類鉄磁石等とすることができる。またマグネット体２,３の磁石は焼結磁石とするが、希土類粉末プラスチック磁石等のプラスチック成形品や、希土類粉末ゴム磁石等のゴム形成品とすることができる。
【００１４】
本磁力起動玩具においては、先ず前記二個のマグネット体２,３を予め水溶性部材４を介在させてＮ極同士又はＳ極同士が対向するようにして接合一体化したマグネットユニットを形成する(図４のイ)。次いで、該マグネットユニットに係る一方のマグネット体２を玩具本体下部１１の前記凹所１１ｂに固着する。
本実施形態の水溶性部材４は図４(イ)のごとく水溶性接着剤で、例えばポリビニルアルコール等のＰＶＡ系,イソブテン−無水マレイン酸共重合体,ポリアクリルアミド,ポリエチレンオキサイド等の合成水溶性接着剤が使用される。これらの合成水溶性接着剤は火気の危険がない。有機溶媒を用いないので毒性がないなど、手に触れ、子供用にもなる本磁力起動玩具に打ってつけとなる。
本発明の水溶性部材４はこれを介在させて、二個のマグネット体２,３のＮ極同士又はＳ極同士を対向させて接合一体化できれば充足し、水溶性部材４の基材部分がマグネット体２同士を接合させる接着能力は有しなくてもよい。水溶性部材４は、例えば図４(ロ)のごとく、水溶性の基材部分４１の両面に非水溶性接着剤４２(或いは非水溶性粘着剤)を塗布一体化するものであってよい。該水溶性部材４を二個のマグネット体２,３の間に介在させ、非水溶性接着剤４２の接着力で両マグネット体２,３を接合一体化するものである。水溶性部材４はまた図４(ハ)のごとく、水溶性の基材部分４１の両面に両面テープ４５を付着一体化したものであってもよい。両面テープ４５の上下両面に現れる粘着部４５ｂが上下二個のマグネット体２,３との接着面になる。符号４５ａは両面テープのテープ基材部分を示す。
【００１５】
磁力起動玩具は、前記水溶性部材４に代えて、オブラートや水を吸う紙などの吸湿性基材部分５１を備えた吸湿性部材５とすることもできる。ここで、吸湿性部材５には吸湿性部材の形状形成する例えばからみあった繊維組織がほぐれて形状が崩れ、その結果、マグネット体２,３との接合力を弱めるような不織布等も含む。二個のマグネット体２,３を予め吸湿性部材５を介在させてＮ極同士又はＳ極同士が対向するようにして接合一体化したサンドイッチ状のマグネットユニットを形成し、該マグネットユニットに係る一方のマグネット体２を玩具本体下部１１の前記凹所１１ｂに固着して該マグネット体２の下側に他方のマグネット体３を配して玩具本体１が起立するよう形成する。そして、吸湿性部材５を水溶液９に漬けて玩具本体１を起立させることにより所定時間経過後に二個のマグネット体２,３が分離し両マグネット体２,３の磁力反発で玩具本体１が飛び跳ねるようにするのである。吸湿性部材５はこれを介在させて、二個のマグネット体２,３のＮ極同士又はＳ極同士を対向させて接合一体化できれば充足し、吸湿性部材５の基材部分５１がマグネット体同士２,３を接合させる接着能力は有しなくてもよい。吸湿性部材５は、例えば図４(ロ)のごとく、吸湿性基材部分５１の両面に非水溶性接着剤５２(或いは非水溶性粘着剤)を塗布一体化して、該吸湿性部材５を二個のマグネット体２,３の間に介在させ、非水溶性接着剤５２の接着力で両マグネット体２,３を接合一体化するものであってよい。吸湿性部材５はまた図４(ハ)のごとく、吸湿性の基材部分５１の両面に両面テープ５５を付着一体化したものであってもよい。両面テープ５５に係るテープ基材部分５５ａの上下両面に現れる粘着部５５ｂが上下二個のマグネット体２,３との接着面になる。
【００１６】
（２）実施形態２
本実施形態は図５のごとくの磁力起動玩具で、図５は図３に対応する玩具本体下部１１の部分拡大図である。
ここでの磁力起動玩具は玩具本体１にマグネット体２が嵌入する凹所１１ｂを形成せずに、既存の玩具を玩具本体１としてそのまま使用し、その玩具本体１の下部１１にあたる足裏下面１１ａに水溶性部材４又は吸湿性部材５を介在させてＮ極同士又はＳ極同士が対向するようにして接合一体化した二個のマグネット体２,３を設けたものとする。足裏から二個のマグネット体２,３を予め水溶性部材４又は吸湿性部材５を介在させて接合一体化したマグネットユニットが突出する。他の構成は実施形態１と同様でその説明を省く。
【００１７】
（３）実施形態３
本実施形態は図６のごとくの磁力起動玩具で、図６は図３に対応する玩具本体下部１１の部分拡大図である。
ここでの磁力起動玩具は玩具本体１を磁化させることにより実施形態１,２で用いた一方のマグネット体２を省略する。玩具本体１の少なくとも下部１１が磁化されて、玩具本体下部１１の足裏下面１１ａに磁石からなるマグネット体３が水溶性部材４又は吸湿性部材５を介在させてＮ極同士又はＳ極同士が対向するようにして接合一体化し、且つ該マグネット体３を下にして玩具本体１が起立するよう形成したものとする。他の構成は実施形態１と同様でその説明を省く。
【００１８】
（４）実施形態４
本実施形態は図７のごとくの磁力起動玩具で、図７は図５に対応する玩具本体下部１１の部分拡大図である。本磁力起動玩具は実施形態２のごとく二本足の夫々の下部足裏になる下面１１ａに夫々マグネットユニットを設けるのではなく、二本足の両下面１１ａをまとめて載せることのできる安定板７からなるマグネット体２を採用する。そして該マグネット体２に水溶性部材４又は吸湿性部材５を介在させてＮ極同士又はＳ極同士が対向するようにして他方の安定板７からなるマグネット体３を固着する。他の構成は実施形態１と同様でその説明を省く。
【００１９】
このように構成した磁力起動玩具は、水などの水溶液９に漬けておくと、水面下の水溶性部材４又は吸湿性部材５が水によって両マグネット体２,３を接合していた接合力が弱まるので、何も手を加えなくても所定時間経過後にＮ極同士又はＳ極同士を対向配設した二個のマグネット体２,３が分離し、両マグネット体２,３の磁力反発で玩具本体１が飛び跳ねるようになる。水などの水溶液９に漬けておく以外、人の手を一切借りずに飛び跳ねる等の動作をする。何時またいかなる動きをするか予測のつかない飛び跳ね動作はこれだけで遊ぶ人の興味をそそる。マグネット体２の意外性ある動きを予想したりまたその動く時間を予想したりして遊ぶことができる。水溶性部材４又は吸湿性部材５によるマグネット体２の接合力を調整することで、玩具本体１が飛び跳ねる時間帯をいかようにも設定できる。
また、具体的実施例として、渦巻き型の蚊取り線香の受け皿８０に水を入れ、この水に水溶性部材４又は吸湿性部材５の部分を浸し本磁力起動玩具を起立させておくと、図２のごとく所定時間経過後に怪獣等の形状した玩具が飛び跳ねて倒れるので、あたかも蚊取り線香の威力で倒れたかの趣き,おもしろさを提供する。さらに、玩具本体１から磁力反発で離れたマグネット体３の表面に玩具本体１が形づくる怪獣等のキャラクターの発する「ギャー」や「グェー」等の擬声語の文言が表記されていると、飛び跳ねた後にその文言が見えるので、それを読むことによって怪獣が倒れる際にその擬声語を視認しより一層のおもしろさが増す。
【００２０】
加えて、実施形態１のごとく玩具本体１の下面１１ａとマグネット体２の下面とを面一にすると、磁力吸着具に利用できる。二個のマグネット体２,３が分離し両マグネット体２,３の磁力反発で玩具本体１が飛び跳ねた後は、該玩具本体１を冷蔵庫などにメモ用紙等を止める磁力吸着具としてそのまま使うことができ有益である。しかも、従来の磁力吸着具と違って商品価値が高く、且つ玩具本体１はある程度の凹凸もあって掴み易いなどの利点もある。
実施形態２のごとくであれば、既製品にそのままマグネットユニットを付けて本磁力起動玩具にすることができる。実施形態３のごとく玩具本体１が磁化されれば、磁力起動玩具の構造が一層シンプルになる。実施形態４のごとく、二本足の両下面１１ａをまとめて載せることのできる安定板７からなるマグネット体２を採用すれば、起立時の玩具本体１の安定性が一段と増す。
【００２１】
ところで、本発明の磁力起動玩具を構成するマグネットユニットは例えば図８のごとく水分感知センサＳとしても用いることができる。
水分感知センサＳは、磁石からなる二個のマグネット体２,３が水溶性部材４又は吸湿性部材５を介在させてＮ極同士又はＳ極同士が対向するようにして接合一体化したマグネットユニットを容器Ｖの筒内に収納したものである。ここでは円盤形した二つのマグネット体２,３を水溶性部材４で接合一体化したマグネットユニットをその円盤径より若干大きめの円筒形した容器Ｖの筒内に収納してなる水分感知センサＳになっている。容器Ｖの内部はマグネットユニットを収納するスペースのみならず、図８(ロ)のごとく、水分を感知して水溶性部材４又は吸湿性部材５の接合力が落ちた時、マグネット体２が磁力反発して両マグネット体２,３が離れることのできるスペースが確保されている。
【００２２】
このように構成した水分感知センサＳ１〜Ｓ６(Ｓ)は、例えば各家庭の流しの下や風呂場などの水漏れチェックが必用な箇所に夫々設置して、図９のような回路に組み込まれる。水漏れした際、図８(イ)から図８(ロ)への水分感知センサの状態変化を電気抵抗変化として読み取り、水漏れ箇所をいち早く探すのに役立てることができる。本水分感知センサＳは水漏れの検出器の他、例えば海岸の防波堤に取付け、津波などの高波が押し寄せてきたときの検出器としても利用できる。波が押し寄せて水溶性部材４又は吸湿性部材５が濡れることによって、その接合力が落ちマグネット体２が磁力反発する。この反発によって両マグネット体２,３が離れスイッチが働き、このスイッチが働くことによって防波堤の扉が閉まるようにするのである。本水分感知センサＳは何の動力源も必要とせず、また頗る単純な構成ながら、いち早く確実な動作を実行し、水分感知の機能性に富み極めて有益なものになっている。
【００２３】
尚、本発明においては前記実施形態に示すものに限られず、目的,用途に応じて本発明の範囲で種々変更できる。玩具本体１,マグネット体２,３,水溶性部材４,吸湿性部材５等の形状,大きさ,材質等は用途に合わせて適宜選択できる。
【図面の簡単な説明】
【００２４】
【図１】実施形態１の磁力起動玩具の一部断面正面図である。
【図２】図１の磁力起動玩具の動作を表す説明斜視図である。
【図３】図２の部分拡大図である。
【図４】Ｎ極同士又はＳ極同士が対向するようにして接合一体化した２個のマグネット体の側面図である。
【図５】実施形態２の磁力起動玩具で、図３に対応する玩具本体下部の部分拡大図である。
【図６】実施形態３の磁力起動玩具で、図３に対応する玩具本体下部の部分拡大図である。
【図７】実施形態４の磁力起動玩具で、図５に対応する玩具本体下部の部分拡大図である。
【図８】マグネットユニットを水分感知センサとして用いた概略説明正面図である。
【図９】図８の水分感知センサを組み込んだ回路図である。
【符号の説明】
【００２５】
１        玩具本体
１１      下部
２        マグネット体
３        マグネット体
４        水溶性部材
５        吸湿性部材
９        水溶液          
【図１】
2006167248.tif 000003
【図２】
2006167248.tif 000004
【図３】
2006167248.tif 000005
【図４】
2006167248.tif 000006
【図５】
2006167248.tif 000007
【図６】
2006167248.tif 000008
【図７】
2006167248.tif 000009
【図８】
2006167248.tif 000010
【図９】
2006167248.tif 000011